【手続補正書】
【提出日】平成21年1月26日(2009.1.26)
【手続補正１】
【補正対象書類名】特許請求の範囲
【補正対象項目名】全文
【補正方法】変更
【補正の内容】
【特許請求の範囲】
【請求項１】
次の各ステップを含む、汚染水のろ過方法；
大量の汚染物質を含む大量の水を準備するステップ；
大量の汚染物質が結合した樹状高分子を生成させるために、前記汚染物質の少なくとも一部を結合させるのに十分な量の水溶性樹状高分子と、前記大量の水を接触させるステップ；そして
前記汚染物質が結合した樹状高分子よりも小さいが、前記汚染物質よりも大きく且つ水分子よりも大きい孔を有する第一のろ過膜に前記水を通すステップを含む、前記大量の水から、前記大量の汚染物質が結合した樹状高分子をろ過するステップ；
これにより、大量のろ水が生成する：
ここで、前記汚染物質が、Ｃｏ（ＩＩ），Ａｇ(Ｉ），Ｆｅ（ＩＩＩ），Ｎｉ（ＩＩ），ＣｌＯ4-，ＴｃＯ4-及びＮＯ3-からなる群から選択され；そして
前記樹状高分子は、下記を含み；
コア；
前記コアから伸びる複数のアーム（当該アームは、複数の内部の第２の分岐を含む分岐構造を有する）；
前記内部の第２の分岐内の複数の内部分岐点（各内部分岐点は、前記樹状高分子が酸性の水性環境にある場合に、プロトンと結合することができる自由電子対を有する窒素又は酸素原子を含む内部官能基を含む）；及び
それぞれが内部の第２の分岐と連結している、複数の末端部；
ここで、前記樹状高分子が１〜１１の第１のｐＨを有する第１の水性溶液内に置かれ且つ当該第１の水性溶液が樹状高分子１ｇ当たり約１ｇの質量の汚染物質と共に充填された場合の結合の度合いが、前記樹状高分子が１〜１１の第２のｐＨを有する第２の水性溶液内に置かれ且つ当該第２の水性溶液が前記質量の汚染物質と共に充填された場合よりも少なくとも２倍高い。
【請求項２】
樹状高分子薬剤内の樹状高分子の少なくとも一部が、汚染物質により結合されずに残り、
前記方法が、前記大量の水から、結合されていない樹状高分子をろ過するステップをさらに含む、
請求項１に記載の方法。
【請求項３】
前記大量の汚染物質が結合した樹状高分子をろ過するステップが、加圧、減圧、重力、及びそれらの組み合わせから成る群から選択される工程を用いることを含む、請求項１に記載の方法。
【請求項４】
前記ろ過膜が、ウルトラフィルター、マイクロフィルター、及びそれらの組み合わせから成る群から選択される、請求項１に記載の方法。
【請求項５】
前記樹状高分子が大量のテクト（ｔｅｃｔｏ）−デンドリマーを含む、請求項１に記載の方法。
【請求項６】
前記樹状高分子が、球状の樹状高分子及び円柱状の樹状高分子からなる群から選択される分子を大量に含む、請求項１に記載の方法。
【請求項７】
前記汚染物質が結合した樹状高分子の少なくとも一部から、前記汚染物質の少なくとも一部を分離して、大量の汚染物質及び大量の未結合の樹状高分子を生成させるために、前記汚染物質が結合した樹状高分子に、再利用反応を受けさせることをさらに含み、
前記再利用反応が、前記汚染物質が結合した樹状高分子を、当該樹状高分子が、前記結合した汚染物質を化学的又は物理的に放出する環境に置き、分離された樹状高分子と、分離された汚染物質との混合物を生成することを含む、
請求項１に記載の方法。
【請求項８】
次の各ステップを含む水ろ過システム；
樹状高分子を、汚染物質を含む大量の水と混合し且つ大量の水溶性汚染物質が結合した樹状高分子と、大量の浄水とを生成させるために好適な反応ユニット；及び
前記浄水から前記水溶性汚染物質が結合した樹状高分子の少なくとも一部を分離するための、前記反応ユニットと流体接続しているろ過ユニット（当該ろ過ユニットは、前記汚染物質が結合した樹状高分子よりも小さいが、前記汚染物質よりも大きく、且つ水分子よりも大きい孔を有する第１のろ過膜を含み、当該ろ過ユニットは、前記汚染物質が結合した樹状高分子が溶液内に保持されるように、前記第１のろ過膜の上流側に前記汚染物質が結合した樹状高分子を保持するように構成されている）；及び
前記ろ過ユニットと流体接続し且つ大量の樹状高分子を再利用するための再利用反応を実施するように構成されている樹状高分子回収ユニット：
ここで、前記回収ユニットが、下記を含み；
分離された樹状高分子と、分離された汚染物質との混合物を生成するように、前記樹状高分子が、前記汚染物質を化学的又は物理的に放出することができる環境；及び
前記分離された樹状高分子よりも小さいが、分離された汚染物質よりも大きい孔を有する第２のろ過膜（当該回収ユニットは、前記第２のろ過膜の上流側に前記分離された樹状高分子を保持するように構成されている）；
前記汚染物質は、Ｃｏ（ＩＩ），Ａｇ(Ｉ），Ｆｅ（ＩＩＩ），Ｎｉ（ＩＩ），ＣｌＯ4-，ＴｃＯ4-及びＮＯ3-からなる群から選択され；そして
前記樹状高分子が、下記を含む；
コア；
前記コアから伸びる複数のアーム（当該アームは、複数の内部の第２の分岐を含む分岐構造を有する）；
前記内部の第２の分岐内の複数の内部分岐点（各内部分岐点は、前記樹状高分子が酸性の水性環境にある場合に、プロトンと結合することができる自由電子対を有する窒素又は酸素原子を含む内部官能基を含む）；及び
それぞれが内部の第２の分岐と連結している、複数の末端部；
ここで、前記樹状高分子が１〜１１の第１のｐＨを有する第１の水性溶液内に置かれ且つ当該第１の水性溶液が樹状高分子１ｇ当たり約１ｇの質量の汚染物質と共に充填された場合の結合の度合いが、前記樹状高分子が１〜１１の第２のｐＨを有する第２の水性溶液内に置かれ且つ当該第２の水性溶液が前記質量の汚染物質と共に充填された場合よりも少なくとも２倍高い。
【請求項９】
前記第１のろ過膜が、ウルトラフィルター、マイクロフィルター、及びそれらの組み合わせから成る群から選択される、請求項８に記載の水ろ過システム。
【請求項１０】
前記反応ユニット及び前記ろ過ユニットが一体化されている、請求項８に記載の水ろ過システム。
【請求項１１】
前記樹状高分子が、大量のテクト−デンドリマーを含む、請求項８に記載の水ろ過システム。
【請求項１２】
前記樹状高分子が、球状の樹状高分子及び円柱状の樹状高分子からなる群から選択される分子を大量に含む、請求項８に記載の水ろ過システム。
【請求項１３】
前記ろ過ユニット及び前記回収ユニットが一体化されている、請求項８に記載の水ろ過システム。
【請求項１４】
前記分離された樹状高分子と、分離された汚染物質との混合物を、前記分離された樹状高分子よりも小さいが、前記分離された汚染物質よりも大きい孔を有する第２のろ過膜に当該混合物を通すことによりろ過することをさらに含み、
前記分離された樹状高分子が、前記第２のろ過膜の上流側に保持される、
請求項７に記載の方法。
【請求項１５】
前記汚染物質及び前記樹状高分子の間の物理的又は化学的結合がｐＨに敏感であり、そして前記再利用反応が、系のｐＨを変え、限外ろ過又は精密ろ過が続く、請求項７に記載の方法。
【請求項１６】
前記分離された汚染物質を、当該汚染物質が溶解する溶媒で抽出することをさらに含む、請求項７に記載の方法。
【請求項１７】
前記汚染物質が、Ｃｏ（ＩＩ），Ａｇ(Ｉ），Ｆｅ（ＩＩＩ）及びＮｉ（ＩＩ）からなる群から選択され；
前記第１のｐＨが約１１であり；そして
前記第２のｐＨが約１である：
請求項８に記載の水ろ過システム。
【請求項１８】
前記汚染物質が、ＣｌＯ4-，ＴｃＯ4-及びＮＯ3-からなる群から選択され；
前記第１のｐＨが約４であり；そして
前記第２のｐＨが約１１である：
請求項８に記載の水ろ過システム。
【請求項１９】
前記汚染物質が、Ｃｏ（ＩＩ），Ａｇ(Ｉ），Ｆｅ（ＩＩＩ）及びＮｉ（ＩＩ）からなる群から選択され；
前記第１のｐＨが約１１であり；そして
前記第２のｐＨが約１である：
請求項１に記載の方法。
【請求項２０】
前記汚染物質が、ＣｌＯ4-，ＴｃＯ4-及びＮＯ3-からなる群から選択され；
前記第１のｐＨが約４であり；そして
前記第２のｐＨが約１１である：
請求項１に記載の方法。
【請求項２１】
下記を含む樹状高分子；
コア；
前記コアから伸びる複数のアーム（当該アームは、複数の内部の第２の分岐を含む分岐構造を有する）；
前記内部の第２の分岐内の複数の内部分岐点（各内部分岐点は、前記樹状高分子が酸性の水性環境にある場合に、プロトンと結合することができる自由電子対を有する窒素又は酸素原子を含む内部官能基を含む）；及び
それぞれが内部の第２の分岐と連結している、複数の末端部；及び
前記樹状高分子内に固定された触媒又はレドックス活性金属：
ここで、当該樹状高分子は、水溶性である。
【請求項２２】
前記レドックス活性金属が、還元鉄である、請求項２１に記載の樹状高分子。
【請求項２３】
汚染水をろ過するための方法であって、次のステップ；
大量の汚染物質を含む大量の水を準備するステップ；
前記大量の水を、大量の請求項２１に記載の樹状高分子と接触させるステップ；そして
前記汚染物質が、前記樹状高分子と触媒又はレドックス活性化学反応を受ける条件を提供するステップ：
を含む前記方法。
【請求項２４】
前記樹状高分子が、カチオン結合性樹状高分子、アニオン結合性樹状高分子、有機化合物結合性樹状高分子、レドックス活性樹状高分子、生物学系化合物結合性樹状高分子、殺菌性樹状高分子、ウイルス結合性樹状高分子、多機能性樹状高分子、及びそれらの組み合わせから成る群から選択される、請求項２３に記載の方法。
【請求項２５】
前記樹状高分子が、有機化合物結合性樹状高分子であり、そして触媒又はレドックス活性金属が還元鉄である、請求項２４に記載の方法。
【請求項２６】
前記樹状高分子内の前記触媒又はレドックス活性金属が、銅、コバルト、ニッケル、鉛、カドミウム、亜鉛、水銀、鉄、クロム、銀、金、カドミウム、鉄、パラジウム、白金、ガドリニウム、ウラン、ヒ素、及びそれらの組み合わせから成る群から選択される、請求項２４に記載の方法。
【請求項２７】
前記大量の未結合の樹状高分子を再利用することをさらに含む、請求項１４に記載の方法。